(57)【要約】【課題】メカニカルキーのより一層の薄型化を図ることが可能な錠装置を提供する。【解決手段】作動体１０の係合部材収容部１２には、係合部材１３が、作動体１０及びケース７に跨って配置される係合位置と、作動体１０の内側に配置される非係合位置との間を変位可能に収容されている。タンブラ２１，２２は、作動体１０のタンブラ収容部１４に、回転軸１６を中心として回転可能に軸支されており、その照合部２１ｂ，２２ｂが鍵孔１１に挿入されたキープレートと係合することによって回転する。そして、各タンブラ２１，２２は、回転軸１６を中心とした回転角度に応じて係合部材１３の前記非係合位置への変位を規制したり許容したりする。【選択図】図６
2011080318.tif 000002
【特許請求の範囲】
【請求項１】
設置対象に固定されるケースと、キーコードとして複数のコード孔が形成されたキープレートが挿入される鍵孔を備えるとともに該ケースに対して相対変位可能に設けられた作動体と、前記作動体に設けられ前記鍵孔に正規のキープレートが挿入されていない状態において前記ケースと前記作動体とを係合させて前記作動体の前記ケースに対する相対変位を規制する複数のタンブラとを備え、前記鍵孔に挿入される正規のキープレートのコード孔と前記タンブラとの係合状態に応じて、前記タンブラによる前記作動体と前記ケースとの係合が解除されて当該作動体の前記ケースに対する相対変位を許容する錠装置であって、
前記作動体は、前記鍵孔に挿入される前記キープレートの厚さ方向において前記ケース側に開口する係合部材収容部と、該係合部材収容部に沿って、前記作動体の外部に突出して前記ケースに係合することにより前記作動体の前記ケースに対する相対変位を規制する係合位置と、前記作動体の内側に配置されて前記ケースとの係合が解除されることにより前記作動体の前記ケースに対する相対変位を許容する非係合位置との間を変位可能に設けられる係合部材と、前記鍵孔に挿入されるキープレートの厚さ方向において前記係合部材収容部と前記鍵孔とを連通するタンブラ収容部とを備え、
前記タンブラは、前記タンブラ収容部に、前記鍵孔に挿入される前記キープレートの幅方向へ延びる回転軸を中心として回転可能に設けられるとともに、その外周面には、前記係合部材が進入可能とされた凹部、及び、前記コード孔に対応可能とされて前記キープレートの前記鍵孔に対する非挿入状態にあっては挿入されるキープレートに係合可能に対応する一方、挿入されたキープレートとの係合を通じて前記回転軸を中心として当該タンブラと一体的に回転変位する照合部を設け、
前記タンブラは、挿入されたキープレートのコード孔と前記照合部との対応の有無に応じて、その外周面が前記係合部材収容部に対応して前記係合部材の前記係合位置から前記非係合位置への変位を規制する状態と、前記凹部が前記係合部材収容部に対応して前記係合部材の前記係合位置から前記非係合位置への変位を許容する状態とをとることを特徴とする錠装置。
【請求項２】
複数の前記タンブラは、前記鍵孔に挿入される正規のキープレートの前記コード孔に対応する位置に配置される第１タンブラと、当該正規のキープレートの前記コード孔に対応しない位置に配置される第２タンブラとを含み、
前記第１タンブラは、前記キープレートが挿入されていない状態、又は挿入されたキープレートのコード孔に前記照合部が対応した状態においては、当該第１タンブラの照合部が、挿入されるキープレートに係合可能に対応するとともに、当該第１タンブラの凹部が、前記係合部材収容部に対応する位置に配置される中立状態に保持され、挿入されたキープレートのコード孔に対応しない部位に前記照合部が対応した状態においては、前記照合部が、回転変位状態をとるとともに、前記凹部が、前記係合部材収容部からずれた位置に配置され、
前記第２タンブラは、前記キープレートが挿入されていない状態、又は挿入されたキープレートのコード孔に前記照合部が対応した状態においては、当該第２タンブラの照合部が、挿入されるキープレートに係合可能に対応するとともに、当該第２タンブラの凹部が、前記係合部材収容部からずれた位置に配置される中立状態に保持され、挿入されたキープレートのコード孔に対応しない部位に前記照合部が対応した状態においては、前記照合部が、回転変位状態をとるとともに、前記凹部が、前記係合部材収容部に対応する位置に配置されることを特徴とする請求項１に記載の錠装置。
【請求項３】
前記照合部の前記タンブラの回転方向にある側面は、前記回転軸の軸方向から見て当該照合部の先端側に向かうにつれてその幅方向内側へ傾斜することを特徴とする請求項１又は２に記載の錠装置。
【請求項４】
前記鍵孔に対する前記キープレートの挿入方向からみて前記照合部の形状が一致するように形成されたことを特徴とする請求項１〜３の何れか１項に記載の錠装置。
【請求項５】
前記キープレートは、全体としてカード状に形成されたカード型キーであることを特徴とする請求項１〜４の何れか１項に記載の錠装置。
【発明の詳細な説明】
【技術分野】
【０００１】
本発明は、錠装置に関する。
【背景技術】
【０００２】
従来、例えば特許文献１に示されるように、カード状のキープレートにキーコードとして複数のコード孔が形成されてなるメカニカルキーと協働して施錠・解錠を行う錠装置がある。
【０００３】
この錠装置は、図１２に示すように、車両や玄関等のドアに取り付けられるケース５１と、該ケース５１内に摺動可能に挿入された作動体５２とを備えている。作動体５２には、前記キープレート５を挿入するための溝５３が設けられている。ケース５１及び作動体５２において前記溝５３にキープレート５を挿入した際に同キープレート５のコード孔５ａに対応する部位には、それぞれキープレート５に直交する方向に延びる孔５４ａ，５４ｂが形成されている。これら孔５４ａ，５４ｂは、互いに一致して単一の長孔５４を形成している。この長孔５４には、キープレート５に近い側から順に、キープレート５のコード孔５ａに係合するボール５５と、作動体５２の移動を阻止・開放するための２種類の施錠ピン５６ａ，５６ｂと、該施錠ピン５６ａ，５６ｂをボール５５側へ付勢するばね５７とが収容されている。施錠ピン５６ａ，５６ｂは、その長手方向において分断されており、その分断された位置が、正規のキープレート５が挿入された場合にケース５１及び作動体５２の境界に一致するように設定されている。具体的には、コード孔５ａに対応する施錠ピン５６ａは、キープレート５が挿入されていない状態において、その分断された位置が作動体５２及びケース５１の境界に一致するように設定されている。また、コード孔５ａに対応しない施錠ピン５６ｂは、キープレート５が挿入されていない状態において、その分断された位置がキープレート５の厚さｄの分だけ作動体５２及びケース５１の境界よりもボール５５側に配置されるように設定されている。
【０００４】
これにより、図１３（ａ）に示すように、正規のキープレート５が溝５３に挿入された場合は、施錠ピン５６ａ，５６ｂの境界がケース５１及び作動体５２の境界に一致するので、作動体５２とケース５１との相対変位が可能となり、ロック装置の施解錠操作が可能となる。一方、図１３（ｂ）に示すように、不正なキープレート５が挿入された場合は、施錠ピン５６ａ，５６ｂの境界が当該キープレート５の厚さｄの分だけ作動体５２及びケース５１の境界からずれた位置に配置され、施錠ピン５６ａ，５６ｂを介して作動体５２とケース５１とが係合する状態となるので、作動体５２とケース５１との間の相対変位が不能となり、ロック装置の施解錠操作が不能となる。
【０００５】
また、従来、ユーザが所持する携帯機と車両や住宅等に搭載されたロック装置との間で所定の無線通信を通じて識別コードの送受信を行うことにより、同ロック装置の施錠・解錠を可能とする電子キーシステムが知られている。この電子キーシステムは、識別コードに基づくユーザ認証を行うことで、より高い安全性を確保することができるとともに、キーを鍵孔に挿入する必要がなく利便性が高いことから、車両や住宅等の用途において急速に普及が進んでいる。このような電子キーシステムにおいて、上述したロック装置を手動で施錠・解錠するメカニカルキーは、例えば携帯機の電気系・通信系の不具合により電子キーシステムが適切に動作しなくなった場合に使用できるよう、通常、携帯機に設けられた収容部に収容されている。このような携帯機においては、その携帯性の向上のため、より一層の小型化が望まれている。携帯機にメカニカルキーを収容する場合、携帯機のサイズを決める要因の中でもメカニカルキーの収容スペースは重要であり、これにともない、メカニカルキーの薄型化が望まれている。また、携帯機に収容されないメカニカルキーについても、携帯性の観点から、薄型化が望まれている。
【先行技術文献】
【特許文献】
【０００６】
【特許文献１】特開２００３−３０７０５８号公報
【発明の概要】
【発明が解決しようとする課題】
【０００７】
しかしながら、前述した従来の錠装置では、キープレート５がボール５５を当該キープレート５の厚さｄ方向へ押し上げることにより施錠ピン５６ａ，５６ｂが変位するため、施錠ピン５６ａ，５６ｂの境界は、ケース５１及び作動体５２の境界から該キープレート５の厚さｄの分だけずれた位置に配置される。従って、当該キープレート５を薄くすると、施錠ピン５６ａ，５６ｂの境界からケース５１及び作動体５２の境界までの距離が短くなり、施錠ピン５６ａ，５６ｂがケース５１及び作動体５２に引っかかり難くなってしまう。このため、ケース５１と作動体５２との間の係合が不十分となり、ケース５１と作動体５２との間の相対変位を確実に規制することができなくなってしまうことが懸念される。
【０００８】
本発明は、こうした実情に鑑みてなされたものであって、その目的は、メカニカルキーのより一層の薄型化を図ることが可能な錠装置を提供することにある。
【課題を解決するための手段】
【０００９】
請求項１に記載の発明は、設置対象に固定されるケースと、キーコードとして複数のコード孔が形成されたキープレートが挿入される鍵孔を備えるとともに該ケースに対して相対変位可能に設けられた作動体と、前記作動体に設けられ前記鍵孔に正規のキープレートが挿入されていない状態において前記ケースと前記作動体とを係合させて前記作動体の前記ケースに対する相対変位を規制する複数のタンブラとを備え、前記鍵孔に挿入される正規のキープレートのコード孔と前記タンブラとの係合状態に応じて、前記タンブラによる前記作動体と前記ケースとの係合が解除されて当該作動体の前記ケースに対する相対変位を許容する錠装置であって、前記作動体は、前記鍵孔に挿入される前記キープレートの厚さ方向において前記ケース側に開口する係合部材収容部と、該係合部材収容部に沿って、前記作動体の外部に突出して前記ケースに係合することにより前記作動体の前記ケースに対する相対変位を規制する係合位置と、前記作動体の内側に配置されて前記ケースとの係合が解除されることにより前記作動体の前記ケースに対する相対変位を許容する非係合位置との間を変位可能に設けられる係合部材と、前記鍵孔に挿入されるキープレートの厚さ方向において前記係合部材収容部と前記鍵孔とを連通するタンブラ収容部とを備え、前記タンブラは、前記タンブラ収容部に、前記鍵孔に挿入される前記キープレートの幅方向へ延びる回転軸を中心として回転可能に設けられるとともに、その外周面には、前記係合部材が進入可能とされた凹部、及び、前記コード孔に対応可能とされて前記キープレートの前記鍵孔に対する非挿入状態にあっては挿入されるキープレートに係合可能に対応する一方、挿入されたキープレートとの係合を通じて前記回転軸を中心として当該タンブラと一体的に回転変位する照合部を設け、前記タンブラは、挿入されたキープレートのコード孔と前記照合部との対応の有無に応じて、その外周面が前記係合部材収容部に対応して前記係合部材の前記係合位置から前記非係合位置への変位を規制する状態と、前記凹部が前記係合部材収容部に対応して前記係合部材の前記係合位置から前記非係合位置への変位を許容する状態とをとることをその要旨とする。
【００１０】
本発明によれば、タンブラは、鍵孔に挿入されるキープレートの幅方向へ延びる回転軸を中心として該キープレートの挿抜方向に回転可能に軸支されているため、タンブラの照合部は、挿入されたキープレートとの係合を通じて回転軸を中心として当該タンブラと一体的に回転変位する。そして、タンブラは、挿入されたキープレートのコード孔と照合部との対応の有無に応じて、その外周面が係合部材収容部に対応して係合部材の係合位置から非係合位置への変位を規制する。これにより、係合部材が作動体の外部に突出してケースに係合した状態に保持され、ケースと作動体との相対変位が不能となる。また、タンブラは、挿入されたキープレートのコード孔と照合部との対応の有無に応じて、凹部が係合部材収容部に対応して係合部材の係合位置から非係合位置への変位を許容する。これにより、係合部材が作動体の内側に配置されてケースとの係合が解除され、作動体のケースに対する相対変位が可能となる。即ち、キープレートの厚みが、係合部材のケース側への突出量、言い換えれば、ケース及び作動体の間の係合力に何ら影響を及ぼさない。よって、キープレートの厚さをより一層薄くした場合でもケースと作動体とを確実に係合させることが可能となり、メカニカルキーのより一層の薄型化を図ることができる。
【００１１】
請求項２に記載の発明は、複数の前記タンブラは、前記鍵孔に挿入される正規のキープレートの前記コード孔に対応する位置に配置される第１タンブラと、当該正規のキープレートの前記コード孔に対応しない位置に配置される第２タンブラとを含み、前記第１タンブラは、前記キープレートが挿入されていない状態、又は挿入されたキープレートのコード孔に前記照合部が対応した状態においては、当該第１タンブラの照合部が、挿入されるキープレートに係合可能に対応するとともに、当該第１タンブラの凹部が、前記係合部材収容部に対応する位置に配置される中立状態に保持され、挿入されたキープレートのコード孔に対応しない部位に前記照合部が対応した状態においては、前記照合部が、回転変位状態をとるとともに、前記凹部が、前記係合部材収容部からずれた位置に配置され、前記第２タンブラは、前記キープレートが挿入されていない状態、又は挿入されたキープレートのコード孔に前記照合部が対応した状態においては、当該第２タンブラの照合部が、挿入されるキープレートに係合可能に対応するとともに、当該第２タンブラの凹部が、前記係合部材収容部からずれた位置に配置される中立状態に保持され、挿入されたキープレートのコード孔に対応しない部位に前記照合部が対応した状態においては、前記照合部が、回転変位状態をとるとともに、前記凹部が、前記係合部材収容部に対応する位置に配置されることをその要旨とする。
【００１２】
本発明によれば、錠装置は、鍵孔に挿入される正規のキープレートのコード孔に対応する位置に配置される第１タンブラと、当該正規のキープレートのコード孔に対応しない位置に配置される第２タンブラとを備えている。このため、第１タンブラ及び第２タンブラの組み合わせや配置を変更することにより、複数種類のキーコードを当該錠装置に対応するキーコードとして設定することができる。
【００１３】
請求項３に記載の発明は、前記照合部の前記タンブラの回転方向にある側面は、前記回転軸の軸方向から見て当該照合部の先端側に向かうにつれてその幅方向内側へ傾斜することをその要旨とする。
【００１４】
本発明によれば、照合部のタンブラの回転方向にある側面は、回転軸の軸方向から見て当該照合部の先端側に向かうにつれてその幅方向内側へ傾斜するため、タンブラの照合部とキープレートとを滑らかに係合させることが可能となり、キープレートの挿抜時における操作感を向上させることができる。
【００１５】
請求項４に記載の発明は、前記鍵孔に対する前記キープレートの挿入方向からみて前記照合部の形状が一致するように形成されたことをその要旨とする。
本発明によれば、タンブラは、鍵孔に対するキープレートの挿入方向からみて照合部の形状が一致するように形成されたため、鍵孔から覗いても照合部を判別することはできない。このため、照合部の状態からこれらに対応するタンブラによるケースと作動体との係合状態を判別することができない。このため、錠装置のセキュリティ性が向上する。
【００１６】
請求項５に記載の発明は、前記キープレートは、全体としてカード状に形成されたカード型キーであることをその要旨とする。
本発明によれば、キープレートは全体としてカード状に形成されるため、キープレートの携帯性が向上する。
【発明の効果】
【００１７】
本発明によれば、メカニカルキーのより一層の薄型化を図ることが可能な錠装置を提供することができる。
【図面の簡単な説明】
【００１８】
【図１】電子キーシステムの概略構成図。
【図２】（ａ）携帯機の斜視図、（ｂ）メカニカルキーの平面図。
【図３】錠装置の概略構成を示す斜視図。
【図４】錠装置の概略構成を示す断面図。
【図５】図４のＡ−Ａ断面図。
【図６】図４のＢ−Ｂ断面図。
【図７】（ａ）〜（ｄ）第１タンブラの作用を説明するための断面図。
【図８】（ａ）〜（ｄ）第２タンブラの作用を説明するための断面図。
【図９】錠装置の作用を説明するための断面図。
【図１０】（ａ）及び（ｂ）錠装置の作用を説明するための断面図。
【図１１】（ａ）及び（ｂ）錠装置の作用を説明するための断面図。
【図１２】従来の錠装置の概略構成を示す断面図。
【図１３】（ａ）及び（ｂ）従来の錠装置の作用を説明するための一部拡大断面図。
【発明を実施するための形態】
【００１９】
以下、本発明を、車両との無線通信を通じてロック装置としてのドア錠を電子的に施錠・解錠する電子キーシステムに具体化した一実施の形態を図面に従って説明する。
図１に示すように、電子キーシステム１は、ユーザが所持する携帯機２と、車両３に搭載されるとともに携帯機２との無線通信を通じてドア錠４ａの施錠・解錠を行う制御装置４とを備えている。
【００２０】
ユーザが携帯機２を所持して車両の所定領域に接近すると、携帯機２は制御装置４から送信されるリクエスト信号を受信する。このリクエスト信号はＩＤコードの送信を携帯機２に要求する旨の信号である。携帯機２は前記リクエスト信号を受信すると、予め記録された自身のＩＤコードを含むＩＤ信号を送信する。制御装置４は、携帯機２から送信されてきたＩＤ信号を受信すると、このＩＤ信号に含まれる携帯機２側のＩＤコードと予め記憶された車両３側のＩＤコードとを照合し、両ＩＤコードが一致したことを条件としてドア錠４ａを解錠する。一方、携帯機２を所持したユーザが車両３から離間して前記所定領域外に移動すると、制御装置４は、携帯機２から送信されるＩＤ信号を受信不能となる。制御装置４は携帯機２側のＩＤ信号を受信不能になったことを条件として車両のドア錠４ａを施錠する。従って、ユーザが車両に触れることなくドア錠４ａの施錠・解錠が行われる。
【００２１】
図２（ａ）に示すように、携帯機２は、全体として直方体状に形成されている。携帯機２の内部には、前記制御装置４との間で無線通信を行うための通信回路等を構成するアンテナや各種電子部品が実装された回路基板２ａが収容されている。また、携帯機２の一側部に開口して設けられたキー収容部２ｂには、メカニカルキーとしてのキープレート５が収容されている。回路基板２ａとキー収容部２ｂは、携帯機２の厚さ方向において重ねて配置されている。キープレート５は、車両ドア３ａに設けられた錠装置６（図３参照）に対応するものであり、当該携帯機２の電気系・通信系の不具合により電子キーシステム１が適切に動作しなくなった場合には、該キープレート５により前記ドア錠４ａを手動で施錠・解錠することができるようになっている。
【００２２】
図２（ｂ）に示すように、キープレート５は、樹脂材料からなり、全体として長方形の板状に形成されている。キープレート５には、図２（ｂ）に実線で示されるように、前記錠装置６に対応するキーコードとして当該キープレート５を厚さ方向（図２（ｂ）中、紙面奥行き方向）に貫通する１０個のコード孔５ａが形成されており、当該キープレート５の一端部（図２（ｂ）において左端部）のコード孔５ａが形成されていない部分は、キープレート５を把持するための把持部となっている。各コード孔５ａは、キープレート５の板厚方向から見て同キープレート５の長手方向に延びる長方形状に形成されている。
【００２３】
図３に示すように、錠装置６のケース７は、全体として直方体状の外形を有しており、その一側面７ａが車両ドア３ａの外側面と面一となるように車両ドア３ａに固定されている。ケース７の一側面７ａには、その長手方向（図３において略左右方向）に延びるスリット７ｂが形成されており、該スリット７ｂは、ケース７の内部に設けられた作動体収容部７ｃにつながっている。作動体収容部７ｃは、同ケース７の外形に対応する直方体状に形成されている。図４において２点鎖線で示すように、作動体収容部７ｃの内頂面には、スリット７ｂに沿った方向（図４において左右方向）へ延びる直線状の５つの係合凹部７ｄが、当該スリット７ｂに直交する方向（図４において上下方向）に並んで設けられている。
【００２４】
同図４に示すように、作動体収容部７ｃには、直方体状に形成された作動体１０が、ケース７の内側面に沿って前記スリット７ｂに直交する方向（図４において上下方向）へスライド可能に収容されている。作動体１０は、作動体収容部７ｃに設けられた図示しない復帰機構により、同作動体１０のスリット７ｂ側（図４において下側）の側面がケース７の内側面に当接した状態で保持されている。作動体１０が前記スリット７ｂから離間する方向となる操作方向（図４において上方向）へスライド操作され、その操作力が解除されると、同作動体１０は、前記復帰機構によりそのスリット７ｂ側の側面がケース７の内側面に当接した状態に復帰する。作動体１０にはドア錠４ａを施錠・解錠する図示しないロック機構が作動連結されており、作動体１０が前記操作方向へスライド操作されると、前記ロック機構を通じてドア錠４ａが施錠・解錠されるようになっている。具体的には、ドア錠４ａが解錠状態の場合に作動体１０が図４において上方へ押圧操作されるとロック機構はドア錠４ａを施錠し、ドア錠４ａが施錠状態の場合に作動体１０が図４において上方へ押圧操作されるとロック機構はドア錠４ａを解錠する。
【００２５】
作動体１０において、前記スリット７ｂに対応する部位には、該スリット７ｂ側（図４において下側）に開口し前記キープレート５が挿入される断面長方形状の鍵孔１１が形成されている。キープレート５は、作動体１０のスライド方向に沿った方向（図４において下方向）からスリット７ｂを介して鍵孔１１に挿入される。鍵孔１１に挿入したキープレート５をさらにその挿入方向へ押し込んで同キープレート５によって鍵孔１１の奥の壁面１１ａを押圧することにより、作動体１０は、前記キープレート５の挿入方向（挿抜方向）に沿った操作方向へ操作される。作動体１０において、該鍵孔１１に挿入されるキープレート５の厚さ方向一側（図４において紙面手前側）の外側面１０ａには、ケース７側に開口する５個の係合部材収容部１２が、前記鍵孔１１に対するキープレート５の幅方向（図４において左右方向）に延びる直線状に凹設されている。係合部材収容部１２は、前記復帰機構により作動体１０が作動体収容部７ｃのスリット７ｂ側に配置された状態で、前記ケース７の内頂面に設けられた係合凹部７ｄに対応する位置に設けられている。各係合部材収容部１２のキープレート５の挿抜方向（図４において上下方向）における幅は、対応する係合凹部７ｄの同じくキープレート５の挿抜方向における幅と略等しくなっている。
【００２６】
各係合部材収容部１２には、係合部材１３が収容されている。係合部材１３は、該係合部材収容部１２の長手方向（図４において左右方向）に沿って延びる円柱状に形成されており、その直径は、係合部材収容部１２及び前記ケース７の係合凹部７ｄの幅と略等しくなっている。係合部材１３は、係合部材収容部１２に沿って、作動体１０の外部に突出してケース７に係合する係合位置（図７（ａ）及び図８（ａ）参照）と、作動体１０の内側に配置されてケース７との係合が解除される非係合位置（図１０（ｂ）及び図１１（ｂ）参照）との間を変位可能に設けられている。また、図５及び図６に示すように、係合部材１３の半径は、係合凹部７ｄの深さよりも大きくなるように設定されている。
【００２７】
また、図４に示すように、作動体１０の外側面１０ａには、前記鍵孔１１に連通する２０個のタンブラ収容部１４が設けられている。タンブラ収容部１４は、前記鍵孔１１に対する前記キープレート５の挿入方向に所定間隔毎に配置された５個を一列とする４列が、係合部材収容部１２の長手方向において所定間隔毎に配置されている。タンブラ収容部１４は、該鍵孔１１へのキープレート５の挿入方向に延びる断面長方形状に形成されており、当該タンブラ収容部１４の長手方向中央部で係合部材収容部１２と直交するように配置されている。前記係合部材収容部１２は、該タンブラ収容部１４を介して鍵孔１１に連通している。また、作動体１０の外側面１０ａにおいて、前記係合部材収容部１２の長手方向一端のタンブラ収容部１４及びそれに隣接する他のタンブラ収容部１４の間と、係合部材収容部１２の長手方向他端のタンブラ収容部１４及びそれに隣接する他のタンブラ収容部１４の間とには、隣り合うタンブラ収容部１４を連通するばね収容凹部１５が形成されている。
【００２８】
図５に示すように、作動体１０において、各ばね収容凹部１５と該ばね収容凹部１５により連通するタンブラ収容部１４とからなる中空部分には、回転軸１６が作動体１０に対して回転可能に配置されている。回転軸１６は、鍵孔１１に挿入されるキープレート５の幅方向（図５において左右方向）へ延び、対応するばね収容凹部１５及びタンブラ収容部１４の、キープレート５の挿抜方向における略中央を通るように配置されている（図４参照）。回転軸１６において各タンブラ収容部１４に対応する部位には、第１タンブラ２１若しくは第２タンブラ２２が当該回転軸１６を中心として回転可能に支持されている。第１タンブラ２１及び第２タンブラ２２は、鍵孔１１に挿入されるキープレート５の幅方向における幅が、同じく鍵孔１１に挿入されるキープレート５の幅方向において対向するタンブラ収容部１４の２つの内側面の間の距離と略等しく設定されている。第１タンブラ２１は、鍵孔１１に正規のキープレート５が完全に挿入された状態で、具体的には、キープレート５の先端が前記鍵孔１１の奥にある壁面１１ａに当接する位置まで挿入された状態で、当該キープレート５のコード孔５ａに対応する位置に配置される。一方、第２タンブラ２２は、鍵孔１１に正規のキープレート５が完全に挿入された状態で、当該キープレート５のコード孔５ａに対応しない位置（図２（ｂ）において２点鎖線で示す）に配置される。図６に示されるように、鍵孔１１において各タンブラ収容部１４に対向する部位には、許容部１１ｂが凹設されている。許容部１１ｂは、各タンブラ収容部１４の開口側から見て当該タンブラ収容部１４に対応する長方形状に形成されている。また、許容部１１ｂの底面は、前記回転軸１６の軸方向から見て前記回転軸１６を中心とする円弧状に形成されている。
【００２９】
また、図５に示されるように、回転軸１６において各ばね収容凹部１５に対応する部位の外周には、付勢手段としての捻りコイルばね２３がそれぞれ設けられている。捻りコイルばね２３の中央部は、その一部が外方へ突出して設けられ、この突出した部分はばね収容凹部１５の底部に設けられたばね係止部１５ａに固定されている。また、捻りコイルばね２３の両端部２３ａ，２３ａは、前記回転軸１６の軸方向両側に延びるように形成されている。捻りコイルばね２３の両端部２３ａ，２３ａは、対応するばね収容凹部１５の両側のタンブラ収容部１４にそれぞれ収容された第１タンブラ２１若しくは第２タンブラ２２に、それぞれ固定されている。即ち、１つの捻りコイルばね２３に２つのタンブラ（第１タンブラ２１若しくは第２タンブラ２２）が固定されている。
【００３０】
次に、第１タンブラ２１及び第２タンブラ２２の構造について詳しく説明する。
図７（ａ）に示すように、第１タンブラ２１は、前記回転軸１６の軸方向（キープレート５の幅方向）から見て、略円形状に形成されている。第１タンブラ２１は、当該第１タンブラ２１の半径ｒ１と係合部材１３の直径Ｄ１との和が、第１タンブラ２１の回転中心Ｏから前記ケース７側に設けられた係合凹部７ｄの底面７ｅまでの距離Ｌ１と等しくなるように設けられている。第１タンブラ２１の外周面２１ａには、径方向外側に延びる１つの照合部２１ｂが設けられている。照合部２１ｂは回転軸１６の軸方向から見て略三角形状に形成されており、その外側面は当該照合部２１ｂの先端側に向かうにつれてその幅方向内側へ傾斜している。また、照合部２１ｂの第１タンブラ２１の外周面２１ａからの突出量は、その先端部が、鍵孔１１において各タンブラ収容部１４に対向する部位に設けられた許容部１１ｂ内に配置されるように設定されている。即ち、照合部２１ｂのタンブラ収容部１４からの突出量はキープレート５の厚さｄよりも大きくなっている。照合部２１ｂは、第１タンブラ２１の回転軸１６を中心とした回転角度に応じてタンブラ収容部１４内に配置されたり、同タンブラ収容部１４から突出し鍵孔１１内に配置されたりする。また、照合部２１ｂは、第１タンブラ２１の外周面２１ａに滑らかに連続している。
【００３１】
また、第１タンブラ２１の外周面２１ａには、径方向外側に開口する凹部２１ｃが設けられている。照合部２１ｂ及び凹部２１ｃは、周方向に略１８０°の間隔で設けられている。凹部２１ｃは、前記回転軸１６の軸方向から見て、第１タンブラ２１の回転中心Ｏ側に凸となる円弧状に形成されている。凹部２１ｃは、当該凹部２１ｃが係合部材収容部１２に対応する位置に配置された場合に、前記係合部材１３の前記非係合位置（同図７（ａ）において２点鎖線にて示す）への変位を許容するように形成されている。また、第１タンブラ２１の外周面２１ａから第１タンブラ２１の回転中心Ｏまでの距離（半径ｒ１）と凹部２１ｃの底面から第１タンブラ２１の回転中心Ｏまでの距離との差ｄ１は、キープレート５の厚さｄ（図７（ｂ）参照）と略等しく設定されている。
【００３２】
第１タンブラ２１は、捻りコイルばね２３により、該鍵孔１１に挿入されるキープレート５と係合可能な状態に保持されている。具体的には、鍵孔１１にキープレート５が挿入されていない状態において、第１タンブラ２１は、その照合部２１ｂが前記鍵孔１１を介して許容部１１ｂに進入し、且つ、その凹部２１ｃが前記係合部材収容部１２に対応する中立状態に保持されている。捻りコイルばね２３は、前記回転軸１６を中心として巻き取られていない状態で、即ち、初期負荷を有していない状態で第１タンブラ２１に固定されている。第１タンブラ２１の照合部２１ｂは、鍵孔１１に挿入されたキープレート５と係合し、その挿入方向へ回転変位する。これにより、第１タンブラ２１は、回転軸１６を中心として回転する。
【００３３】
第１タンブラ２１は、挿入されたキープレート５のコード孔５ａと照合部２１ｂとの対応の有無に応じて、その外周面２１ａが係合部材収容部１２に対応して係合部材１３の係合位置から非係合位置への変位を規制する状態と、凹部２１ｃが係合部材収容部１２に対応して係合部材１３の係合位置から非係合位置への変位を許容する状態とをとる。具体的には、同図７（ａ）に示すように、鍵孔１１にキープレート５が挿入されていない状態において、第１タンブラ２１は、前述した中立状態に保持されていることから、第１タンブラ２１の凹部２１ｃは前記係合部材収容部１２に対応する位置に保持されている。この状態において、第１タンブラ２１は、係合部材１３の係合位置から非係合位置への変位を許容する状態をとる。なお、図７（ａ）において、係合部材１３は、同図７（ａ）において当該第１タンブラ２１の紙面奥行き方向に配置された他のタンブラ２１，２２（図４及び図６参照）によって係合位置に保持されている。
【００３４】
第１タンブラ２１が前記中立状態に保持されている状態において鍵孔１１にキープレート５が挿入されると、図７（ｂ）に示すように、第１タンブラ２１の照合部２１ｂが、挿入されたキープレート５と係合し、当該キープレート５に押圧されてその挿入方向に変位する。これにより、第１タンブラ２１は、捻りコイルばね２３の弾性力に抗して図７（ｂ）において反時計回り方向へ回転する。このとき、第１タンブラ２１が回転軸１６を中心として回転することで捻りコイルばね２３（図５参照）が巻き取られ、当該捻りコイルばね２３に弾性力が蓄積される。
【００３５】
図７（ｃ）に示すように、キープレート５の挿入に伴い第１タンブラ２１の照合部２１ｂに対応する位置にキープレート５のコード孔５ａが設けられていない部位が配置されると、第１タンブラ２１の凹部２１ｃが係合部材収容部１２からずれた位置に配置される。また、照合部２１ｂはキープレート５の先端から同キープレート５の上面に乗り移り、以後、キープレート５の挿入に伴い、キープレート５の上面を摺動する。即ち、第１タンブラ２１は、第１タンブラ２１の照合部２１ｂに対応する位置にキープレート５のコード孔５ａが設けられていない部位が配置されている間、所定の角度だけ回転した回転変位状態に保たれる。この状態において、第１タンブラ２１は、係合部材１３の係合位置から非係合位置への変位を規制する状態をとる。このとき、第１タンブラ２１に対応する捻りコイルばね２３は、一定の弾性力が蓄積された状態に保持される。なお、照合部２１ｂの第１タンブラ２１の外周面２１ａからの突出量は、キープレート５の厚さｄよりも大きくなっているため、例えば照合部の突出量がキープレート５の厚さｄと等しい、又は小さなタンブラと比較して照合部２１ｂがキープレート５と係合することによる該照合部２１ｂの回転変位量が大きくなる。これは、キープレート５の先端が照合部２１ｂに係合している間は、同照合部２１ｂはキープレート５の挿入方向に押されて第１タンブラ２１が回転するからである。従って、第１タンブラ２１が、図７（ａ）に示される中立状態から図７（ｃ）に示される回転変位状態をとるまでの第１タンブラ２１の回転角度が大きくなる。当該回転角度が大きくなるほど、第１タンブラ２１の単位回転角度に対する係合部材１３の凹部２１ｃに沿った変位量を小さくすることができるため、係合部材１３を当該第１タンブラ２１の凹部２１ｃに沿って緩やかに変位させることができる。このため、キープレート５の挿抜時における操作感が向上する。
【００３６】
一方、図７（ｄ）に示すように、キープレート５の挿入に伴い照合部２１ｂに対応する位置に前記キープレート５のコード孔５ａが配置されると、キープレート５と照合部２１ｂとの間の係合が解除され、第１タンブラ２１が回転軸１６を中心として回転可能となる。このため、第１タンブラ２１は、捻りコイルばね２３に蓄積された弾性力により、その照合部２１ｂがキープレート５に係合可能な位置に配置されるように時計回り方向へ回転して中立状態をとり、その凹部２１ｃが係合部材収容部１２に対応する位置に配置される。この状態において、第１タンブラ２１は、係合部材１３の係合位置から非係合位置への変位を許容する状態をとる。なお、図７（ｄ）において、係合部材１３は、同図７（ｄ）において当該第１タンブラ２１の紙面奥行き方向に配置された他のタンブラ２１，２２（図４及び図６参照）によって係合位置に保持されている。
【００３７】
また、鍵孔１１に挿入されていたキープレート５が抜出されると、キープレート５の挿入時において照合部２１ｂに対応する位置に前記キープレート５のコード孔５ａが配置される場合と同様に、第１タンブラ２１は、キープレート５との係合を通じて時計回り方向へ回転する。そして、キープレート５が完全に引き抜かれてキープレート５と照合部２１ｂとの間の係合が解除されると、第１タンブラ２１は、捻りコイルばね２３に蓄積された弾性力により、その照合部２１ｂがキープレート５に係合可能な位置に配置されるように反時計回り方向へ回転して図７（ａ）に示す中立状態をとり、その凹部２１ｃが係合部材収容部１２に対応する位置に配置される。この状態において、第１タンブラ２１は、係合部材１３の係合位置から非係合位置への変位を許容する状態をとる。
【００３８】
即ち、キープレート５が挿入されていない状態、又は挿入されたキープレート５のコード孔５ａに照合部２１ｂが対応した状態においては、第１タンブラ２１は、係合部材１３の非係合位置への変位を許容する。一方、挿入されたキープレート５のコード孔５ａに対応しない部位に前記照合部２１ｂが対応した状態においては、第１タンブラ２１は、係合部材１３の非係合位置への変位を規制する。
【００３９】
また、図７（ａ）に示すように、第１タンブラ２１が係合部材１３の係合位置から非係合位置への変位を許容する状態をとるとともに係合部材１３が同図７（ａ）に２点差線で示す非係合位置にある状態において第１タンブラ２１が回転すると、係合部材１３は、図７（ｂ）に２点鎖線で示すように、凹部２１ｃとの係合を通じて徐々に係合位置側へ変位する。そして、係合部材１３は、凹部２１ｃと第１タンブラ２１の外周面２１ａとの境界を乗り越えて同第１タンブラ２１の外周面２１ａ上を摺動する。即ち、非係合位置に配置された係合部材１３は、第１タンブラ２１が図７（ｃ）に示すように凹部２１ｃが係合部材収容部１２からずれる方向へ回転することによって係合位置に復帰する。
【００４０】
図８（ａ）に示すように、第２タンブラ２２は、前記第１タンブラ２１と同様、前記回転軸１６の軸方向（キープレート５の幅方向）から見て、略円形状に形成されている。第２タンブラ２２は、当該第２タンブラ２２の半径ｒ１と係合部材１３の直径Ｄ１との和が、第２タンブラ２２の回転中心Ｏから前記ケース７側に設けられた係合凹部７ｄの底面７ｅまでの距離Ｌ１と等しくなるように設けられている。第２タンブラ２２の外周面２２ａには、径方向外側に延びる１つの照合部２２ｂが設けられている。照合部２２ｂは回転軸１６の軸方向から見て略三角形状に形成されており、その外側面は、当該照合部２２ｂの先端側に向かうにつれてその幅方向内側へ傾斜している。また、照合部２２ｂの第２タンブラ２２の外周面２２ａからの突出量は、その先端部が、鍵孔１１において各タンブラ収容部１４に対向する部位に設けられた許容部１１ｂ内に配置されるように設定されている。即ち、照合部２２ｂのタンブラ収容部１４からの突出量はキープレート５の厚さｄよりも大きくなっている。照合部２２ｂは、第２タンブラ２２の回転軸１６を中心とした回転角度に応じてタンブラ収容部１４内に配置されたり、同タンブラ収容部１４から突出し鍵孔１１内に配置されたりする。また、照合部２２ｂは、第２タンブラ２２の外周面２２ａに滑らかに連続している。第２タンブラ２２の照合部２２ｂは、鍵孔１１に対するキープレート５の挿入方向から見て、前記第１タンブラ２１の照合部２１ｂと同一の形状となるように形成されている。このため、鍵孔１１に対するキープレート５の挿入方向から見て、第１タンブラ２１及び第２タンブラ２２の判別が不能となっている。
【００４１】
また、第２タンブラ２２の外周面２２ａには、径方向外側に開口する凹部２２ｃが設けられている。照合部２２ｂ及び凹部２２ｃは、図８（ａ）において反時計回り方向側に、略１３５°の間隔で設けられている。凹部２２ｃは、前記回転軸１６の軸方向から見て、第２タンブラ２２の回転中心Ｏ側に凸となる円弧状に形成されている。凹部２２ｃは、当該凹部２２ｃが係合部材収容部１２に対応する位置に配置された場合に、前記係合部材１３の前記非係合位置（図８（ｂ）において２点鎖線にて示す）への変位を許容するように形成されている。また、第２タンブラ２２の外周面２２ａから第２タンブラ２２の回転中心Ｏまでの距離と凹部２２ｃの底面から第２タンブラ２２の回転中心Ｏまでの距離との差ｄ１は、キープレート５の厚さｄ（図８（ｂ）参照）と略等しく設定されている。
【００４２】
第２タンブラ２２は、捻りコイルばね２３により、該鍵孔１１に挿入されるキープレート５と係合可能な状態に保持されている。具体的には、鍵孔１１にキープレート５が挿入されていない状態において、第２タンブラ２２は、その照合部２２ｂが前記鍵孔１１を介して許容部１１ｂに進入し、且つ、その凹部２２ｃが前記係合部材収容部１２に対応する中立状態に保持されている。捻りコイルばね２３は、前記回転軸１６を中心として巻き取られていない状態で、即ち、初期負荷を有していない状態で第２タンブラ２２に固定されている。第２タンブラ２２の照合部２２ｂは、鍵孔１１に挿入されたキープレート５と係合し、その挿入方向へ回転変位する。これにより、第２タンブラ２２は、回転軸１６を中心として回転する。
【００４３】
第２タンブラ２２は、挿入されたキープレート５のコード孔５ａと照合部２２ｂとの対応の有無に応じて、その外周面２２ａが係合部材収容部１２に対応して係合部材１３の係合位置から非係合位置への変位を規制する状態と、凹部２２ｃが係合部材収容部１２に対応して係合部材１３の係合位置から非係合位置への変位を許容する状態とをとる。具体的には、同図８（ａ）に示すように、鍵孔１１にキープレート５が挿入されていない状態において、第２タンブラ２２は、前述した中立状態に保持されていることから、第２タンブラ２２の凹部２２ｃは前記係合部材収容部１２からずれた位置に保持されている。この状態において、第２タンブラ２２は、係合部材１３の係合位置から非係合位置への変位を規制する状態をとる。
【００４４】
第２タンブラ２２が前記中立状態に保持されている状態において鍵孔１１にキープレート５が挿入されると、図８（ｂ）に示すように、第２タンブラ２２の照合部２２ｂが、挿入されたキープレート５と係合し、当該キープレート５に押圧されてその挿入方向に変位する。これにより、第２タンブラ２２は、捻りコイルばね２３の弾性力に抗して図８（ｂ）において反時計回り方向へ回転する。このとき、第２タンブラ２２が回転軸１６を中心として回転することで捻りコイルばね２３（図５参照）が巻き取られ、当該捻りコイルばね２３に弾性力が蓄積される。
【００４５】
図８（ｃ）に示すように、キープレート５の挿入に伴い第２タンブラ２２の照合部２２ｂに対応する位置にキープレート５のコード孔５ａが設けられていない部位が配置されると、第２タンブラ２２の凹部２２ｃが係合部材収容部１２に対応する位置に配置される。また、照合部２２ｂはキープレート５の先端から同キープレート５の上面に乗り移り、以後、キープレート５の挿入に伴い、キープレート５の上面を摺動する。即ち、第１タンブラ２１は、第２タンブラ２２の照合部２２ｂに対応する位置にキープレート５のコード孔５ａが設けられていない部位が配置されている間、所定の角度だけ回転した回転変位状態に保たれる。この状態において、第２タンブラ２２は、係合部材１３の係合位置から非係合位置への変位を許容する状態をとる。なお、図８（ｃ）において、係合部材１３は、同図８（ｃ）において当該第２タンブラ２２の紙面奥行き方向に配置された他のタンブラ２１，２２（図４及び図６参照）によって係合位置に保持されている。このとき、第２タンブラ２２に対応する捻りコイルばね２３は、一定の弾性力が蓄積された状態に保持される。なお、照合部２２ｂの第２タンブラ２２の外周面２２ａからの突出量は、キープレート５の厚さｄよりも大きくなっているため、例えば照合部の突出量がキープレート５の厚さｄと等しい、又は小さなタンブラと比較して照合部２２ｂがキープレート５と係合することによる該照合部２２ｂの回転変位量が大きくなる。これは、キープレート５の先端が照合部２２ｂに係合している間は、同照合部２２ｂはキープレート５の挿入方向に押されて第２タンブラ２２が回転するからである。従って、第２タンブラ２２が、図８（ａ）に示される中立状態から図８（ｃ）に示される回転変位状態をとるまでの第２タンブラ２２の回転角度が大きくなる。当該回転角度が大きくなるほど、第２タンブラ２２の単位回転角度に対する係合部材１３の凹部２２ｃに沿った変位量を小さくすることができるため、係合部材１３を当該第２タンブラ２２の凹部２２ｃに沿って緩やかに変位させることができる。このため、キープレート５の挿抜時における操作感が向上する。
【００４６】
一方、図８（ｄ）に示すように、キープレート５挿入に伴い照合部２２ｂに対応する位置に前記キープレート５のコード孔５ａが配置されると、キープレート５と照合部２２ｂとの間の係合が解除され、第２タンブラ２２が回転軸１６を中心として回転可能となる。このため、第２タンブラ２２は、捻りコイルばね２３に蓄積された弾性力により、その照合部２２ｂがキープレート５に係合可能な位置に配置されるように時計回り方向へ回転して中立状態をとり、その凹部２２ｃが係合部材収容部１２からずれた位置に配置される。この状態において、第２タンブラ２２は、係合部材１３の係合位置から非係合位置への変位を規制する状態をとる。
【００４７】
また、鍵孔１１に挿入されていたキープレート５が抜出されると、キープレート５の挿入時において照合部２２ｂに対応する位置に前記キープレート５のコード孔５ａが配置される場合と同様に、第２タンブラ２２は、キープレート５との係合を通じて時計回り方向へ回転する。そして、キープレート５が完全に引き抜かれてキープレート５と照合部２２ｂとの間の係合が解除されると、第２タンブラ２２は、捻りコイルばね２３に蓄積された弾性力により、その照合部２２ｂがキープレート５に係合可能な位置に配置されるように反時計回り方向へ回転して図８（ａ）に示す中立状態をとり、その凹部２２ｃが係合部材収容部１２からずれた位置に配置される。この状態において、第２タンブラ２２は、係合部材１３の係合位置から非係合位置への変位を規制する状態をとる。
【００４８】
即ち、キープレート５が挿入されていない状態、又は挿入されたキープレート５のコード孔５ａに照合部２２ｂが対応した状態においては、第２タンブラ２２は、係合部材１３の非係合位置への変位を規制する。一方、挿入されたキープレート５のコード孔５ａに対応しない部位に前記照合部２２ｂが対応した状態においては、第２タンブラ２２は、係合部材１３の非係合位置への変位を許容する。
【００４９】
また、図８（ｃ）に示すように、第２タンブラ２２が係合部材１３の係合位置から非係合位置への変位を許容する状態をとるとともに係合部材１３が同図８（ｃ）に２点差線で示す非係合位置にある状態において第２タンブラ２２が回転すると、係合部材１３は、図８（ｂ）に２点鎖線で示すように、凹部２２ｃとの係合を通じて徐々に係合位置側へ変位する。そして、係合部材１３は、凹部２２ｃと第２タンブラ２２の外周面２２ａとの境界を乗り越えて同第２タンブラ２２の外周面２２ａ上を摺動する。即ち、非係合位置に配置された係合部材１３は、第２タンブラ２２が図８（ａ）に示すように凹部２１ｃが係合部材収容部１２からずれる方向へ回転することによって係合位置に復帰する。
【００５０】
ここで、前述したように、係合部材１３は略円柱状に形成されており、係合部材１３の半径は、係合凹部７ｄの深さよりも大きくなるように設定されている（図５及び図６参照）。このため、係合部材１３が係合位置にある状態において作動体１０がキープレート５を介して前記操作方向へ押圧されると、係合部材１３は、その中心よりもケース７側の外周面に同ケース７が係合することによって非係合位置側へ押圧される。即ち、作動体１０がキープレート５を介して前記操作方向へ押圧されることにより、係合部材１３が非係合位置側へ付勢される。
【００５１】
このため、図９に示すように全てのタンブラ２１，２２によって係合部材１３の係合位置から非係合位置への変位が許容されている状態において作動体１０が操作されると、図１０（ａ）及び図１１（ａ）にそれぞれ示すように係合位置に配置された係合部材１３がケース７に押圧されて図１０（ｂ）及び図１１（ｂ）にそれぞれ示す非係合位置へ変位する。これにより、作動体１０のケース７に対する相対変位が許容される。一方、何れかのタンブラ２１，２２によって係合部材１３の係合位置から非係合位置への変位が許容されていない状態において作動体１０がキープレート５を介して前記操作方向へ押圧されると、係合部材１３が係合位置から非係合位置へ変位しないため、同係合部材１３が作動体１０とケース７とに係合する。これにより、作動体１０のケース７に対する相対変位が規制される。なお、各タンブラ２１，２２の外周面２１ａ，２２ａから回転中心Ｏまでの距離と凹部２１ｃ，２２ｃの底面から回転中心Ｏまでの距離との差ｄ１が、係合部材１３の変位量に相当する。
【００５２】
次に、前述のように構成した錠装置とメカニカルキーとを協働させて施錠・解錠を行う場合の作用を説明する。
図６に示すように、錠装置６の鍵孔１１にキープレート５が挿入されていない場合、第１タンブラ２１は、捻りコイルばね２３により、その凹部２１ｃが係合部材収容部１２に対応する位置に配置された中立状態に保持されている。また、第２タンブラ２２は、捻りコイルばね２３により、その凹部２２ｃが係合部材収容部１２からずれた位置に配置された状態に保持されている。これにより、係合部材収容部１２に収容された係合部材１３の非係合位置への変位が規制され、係合位置に保持される。このため、係合部材１３を介して作動体１０とケース７とが係合し、作動体１０及びケース７の相対変位が規制される。よって、錠装置６の施解錠操作が規制される。
【００５３】
錠装置６の鍵孔１１に当該錠装置６に対応する正規のキープレート５が挿入されると、各タンブラ２１，２２の照合部２１ｂ，２２ｂがキープレート５の先端部に押圧されてその挿入方向へ回転変位する。これにより、各タンブラ２１，２２は、回転軸１６を中心として回転する。そして、図９に示すように、正規のキープレート５が鍵孔１１の奥にある壁面１１ａに当接し完全に挿入された状態となると、当該キープレート５のコード孔５ａが第１タンブラ２１に対応する位置に配置される。このため、第１タンブラ２１の照合部２１ｂはキープレート５と係合しない状態となる。従って、第１タンブラ２１は中立状態をとり、その凹部２１ｃが係合部材収容部１２に対応する位置に配置される。一方、鍵孔１１に正規のキープレート５が完全に挿入されると、当該キープレート５のコード孔５ａに対応しない部位が第２タンブラ２２に対応する位置に配置される。このため、第２タンブラ２２の照合部２２ｂはキープレート５と係合した状態となる。従って、第２タンブラ２２は回転変位状態をとり、その凹部２２ｃが係合部材収容部１２に対応する位置に配置される。即ち、鍵孔１１に正規のキープレート５が挿入されることにより、全てのタンブラ２１，２２の凹部２１ｃ，２２ｃが係合部材収容部１２に対応する位置に配置され、係合部材１３の非係合位置への変位が許容される。このため、この状態においてキープレート５を介して作動体１０を操作すると、図１０（ａ）及び図１１（ａ）にそれぞれ示すように、係合部材１３の中心よりもケース７側の外周面がケース７に押圧されて図７（ａ）及び図８（ａ）にそれぞれ示す係合位置から、図１０（ｂ）及び図１１（ｂ）にそれぞれ示す非係合位置へ変位する。即ち、係合部材１３によるケース７と作動体１０との係合が解除されて、作動体１０のケース７に対する相対変位が許容され、錠装置６の施解錠操作が可能となる。
【００５４】
錠装置６の鍵孔１１からキープレート５が抜出されると、各タンブラ２１，２２はキープレート５の挿入時に捻りコイルばね２３に蓄積された弾性力により、元の中立状態となるように回転する。各タンブラ２１，２２が図６に示す元の状態に復帰した状態においては、第２タンブラ２２の凹部２２ｃが係合部材収容部１２からずれた位置に配置される。これにより、第２タンブラ２２に対応する係合部材１３の非係合位置への変位が規制され、同係合部材１３は係合位置に配置された状態に保持される。このため、係合部材１３を介して作動体１０とケース７とが係合し、作動体１０及びケース７の相対変位が規制される。よって、錠装置６の施解錠操作が規制される。
【００５５】
なお、錠装置６の鍵孔１１に不正なキープレートが挿入された場合、同キープレートのコード孔と該コード孔が設けられていない部位とが第１タンブラ２１及び第２タンブラ２２に対応していないので、タンブラ２１，２２の凹部２１ｃ，２２ｃが全て係合部材収容部１２に対応することはない。例えば、不正なキープレートとして板状の部材が挿入された場合、第１タンブラ２１の凹部２１ｃが係合部材収容部１２からずれた位置に配置される。これにより、第１タンブラ２１に対応する係合部材１３の非係合位置への変位が規制され、同係合部材１３は係合位置に配置された状態に保持される。このため、係合部材１３を介して作動体１０とケース７とが係合し、作動体１０及びケース７の相対変位が規制される。よって、錠装置６の施解錠操作が規制される。
【００５６】
次に、上記実施の形態の作用効果を以下に記載する。
（１）錠装置６のタンブラ２１，２２は、鍵孔１１に挿入されるキープレート５の幅方向へ延びる回転軸１６を中心として該キープレート５の挿抜方向に回転可能に軸支されているため、タンブラ２１，２２の照合部２１ｂ，２２ｂは、挿入されたキープレート５との係合を通じて回転軸１６を中心として当該タンブラ２１，２２と一体的に回転変位する。そして、タンブラ２１，２２は、挿入されたキープレート５のコード孔５ａと照合部２１ｂ，２２ｂとの対応の有無に応じて、その外周面２１ａ，２２ａが係合部材収容部１２に対応して係合部材１３の係合位置から非係合位置への変位を規制する。これにより、係合部材１３が作動体１０の外部に突出してケース７に係合した状態に保持され、ケース７と作動体１０との相対変位が不能となる。また、タンブラ２１，２２は、挿入されたキープレート５のコード孔５ａと照合部２１ｂ，２２ｂとの対応の有無に応じて、凹部２１ｃ，２２ｃが係合部材収容部１２に対応して係合部材１３の係合位置から非係合位置への変位を許容する。これにより、係合部材１３が作動体１０の内側に配置されてケース７との係合が解除され、作動体１０のケース７に対する相対変位が可能となる。即ち、キープレート５の厚みが、係合部材１３のケース７側への突出量、言い換えれば、ケース７及び作動体１０の間の係合力に何ら影響を及ぼさない。よって、キープレート５の厚さｄをより一層薄くした場合でもケース７と作動体１０とを確実に係合させることが可能となり、メカニカルキー（キープレート５）のより一層の薄型化を図ることができる。
【００５７】
（２）また、この錠装置６では、照合部２１ｂ，２２ｂがキープレート５に係合可能な位置に配置されるようにタンブラ２１，２２を回転させる捻りコイルばね２３がタンブラ２１，２２の軸方向に配置される。このため、施錠ピン５６ａ，５６ｂと該施錠ピン５６ａ，５６ｂを付勢するばね５７とがキープレート５の厚さ方向に並んで配置される従来の錠装置（図１２参照）よりも、錠装置６の薄型化を図ることができる。
【００５８】
（３）また、この錠装置６では、作動体１０が操作されることにより、係合位置に配置された係合部材１３がケース７に押圧されて非係合位置側へ変位するように構成されている。ここで、例えば、係合部材１３の自重のみによって同係合部材１３が非係合位置へ変位するように構成されている場合、係合部材１３がタンブラ２１，２２よりも常に鉛直方向上側に配置されるよう錠装置６を設置しなければならないため、設置する際の錠装置の姿勢が限定されてしまう。この点、本実施の形態によれば、作動体１０が操作されることにより係合位置に配置された係合部材１３がケース７に押圧されて非係合位置側へ変位するため、設置する際の錠装置６の姿勢が限定されない。
【００５９】
（４）錠装置６は、鍵孔１１に挿入される正規のキープレート５のコード孔５ａに対応する位置に配置される第１タンブラ２１と、当該正規のキープレート５のコード孔５ａに対応しない位置に配置される第２タンブラ２２とを備えている。このため、第１タンブラ２１及び第２タンブラ２２の組み合わせや配置を変更することにより、複数種類のキーコードを当該錠装置６に対応するキーコードとして設定することができる。
【００６０】
また、第２タンブラ２２は、中立状態においてケース７と作動体１０とを係合させるため、当該第２タンブラ２２によって、鍵孔１１にキープレート５が挿入されていない状態における作動体１０のケース７に対する相対変位が規制される。従って、鍵孔１１に正規のキープレート５が挿入されていない状態で作動体１０のケース７に対する相対変位が許容されることはない。また、不正なキープレートが挿入された場合には、同キープレートのコード孔と該コード孔が設けられていない部位とが、第１タンブラ２１及び第２タンブラ２２に対応していないので、作動体１０のケース７に対する相対変位が規制される。以上のことから、錠装置６のセキュリティ性が向上する。
【００６１】
（５）照合部２１ｂ，２２ｂのタンブラ２１，２２の回転方向にある側面は、回転軸１６の軸方向から見て当該照合部２１ｂ，２２ｂの先端側に向かうにつれてその幅方向内側へ傾斜するため、タンブラ２１，２２の照合部２１ｂ，２２ｂとキープレート５とを滑らかに係合させることが可能となり、キープレート５の挿抜時における操作感を向上させることができる。
【００６２】
（６）各タンブラ２１，２２は、鍵孔１１に対するキープレート５の挿入方向からみて照合部２１ｂ，２２ｂの形状が一致するように形成されたため、鍵孔１１から覗いても照合部２１ｂ，２２ｂを判別することはできない。また、タンブラ２１，２２が中立状態にあるときは、いずれの照合部２１ｂ，２２ｂも鍵孔１１を介して許容部１１ｂに進入した状態に保たれる。このため、当該照合部２１ｂ，２２ｂの状態から、これらに対応するタンブラ２１，２２によるケース７と作動体１０との係合状態を判別することができない。このため、錠装置６のセキュリティ性が向上する。
【００６３】
（７）キープレート５は全体としてカード状に形成されるため、キープレート５の携帯性が向上する。
（８）鍵孔１１において照合部２１ｂ，２２ｂに対応する部位に照合部２１ｂ，２２ｂの回転変位を許容する許容部１１ｂを設けたため、照合部２１ｂ，２２ｂのタンブラ２１，２２の外周面２１ａ，２２ａからの突出量をキープレート５の厚さｄよりも大きく設定することができる。各タンブラ２１，２２の照合部２１ｂ，２２ｂの突出量が大きくなると、照合部２１ｂ，２２ｂがキープレート５と係合することによる該照合部２１ｂ，２２ｂの回転変位量が大きくなるため、各タンブラ２１，２２の照合部２１ｂ，２２ｂが中立状態から回転変位状態になるまでの各タンブラ２１，２２の回転角度を大きくすることができる。当該回転角度が大きくなるほど、各タンブラ２１，２２の単位回転角度に対する係合部材１３の凹部２１ｃ，２２ｃに沿った変位量を小さくすることができるため、係合部材を当該各タンブラ２１，２２の凹部２１ｃ，２２ｃに沿って緩やかに変位させることができる。よって、キープレート５の挿抜時における操作感を向上させることができる。
【００６４】
（８）１つの係合部材１３に、複数のタンブラ２１，２２が対応しているため、同係合部材１３に対応する何れか１つのタンブラ２１，２２によって係合部材１３の非係合位置への変位が規制されていれば、該係合部材１３により作動体１０とケース７とが係合した状態となる。このため、各タンブラ２１，２２の状態から作動体１０及びケース７の係合状態を判別し難くなるため、例えばピッキングによって当該錠装置６が不正に解錠され難くなり、セキュリティ性が向上する。
【００６５】
（９）上述した錠装置６を採用することにより携帯機２のキー収容部に収容されるメカニカルキーの薄型化が図られる。このため、携帯機２の小型化が可能となり、携帯機２の携帯性を向上させることができる。
【００６６】
（１０）キープレート５を樹脂材料から形成したため、当該キープレート５を携帯機２において送信アンテナなどが実装された回路基板２ａと重ねて配置した場合であれ携帯機２の通信特性が確保される。このため、設計の自由度が向上する。なお、この場合、上述したようにキープレート５の薄型化が図られているため、回路基板２ａと重ねて配置しても携帯機２が大幅に厚くなってしまうことはない。
【００６７】
（１１）２つのタンブラ（第１タンブラ２１若しくは第２タンブラ２２）を１つの捻りコイルばね２３によって該鍵孔１１に挿入されるキープレート５と係合可能な状態に保持するようにしたため、部品点数を削減することができる。
【００６８】
尚、本実施の形態は、以下のように変更してもよい。
・上記実施の形態では、ケース７の係合凹部７ｄを、直線状に形成したが、例えば、係合凹部７ｄを、作動体１０に設けられたタンブラ収容部１４と対応する位置に点在させてもよい。また、この場合、係合部材１３を球状に形成してもよい。
【００６９】
・上記実施の形態では、キープレート５に１０個のコード孔５ａを設け、作動体１０に２０個のタンブラ収容部１４を設けたが、コード孔５ａに対応する位置に第１タンブラ２１を配置し、コード孔５ａに対応しない位置に第２タンブラ２２を配置すれば、コード孔５ａ及びタンブラ収容部１４の数は、製品仕様等に応じて適宜変更可能である。また、キープレート５のコード孔５ａ及びタンブラ収容部１４を千鳥格子状に配置してもよい。このように配置すれば、コード孔５ａをより密に配置することができるため、キープレート５の小型化、ひいては携帯機２の小型化に貢献することができる。
【００７０】
・上記実施の形態では、２つのタンブラ（第１タンブラ２１若しくは第２タンブラ２２）を１つの捻りコイルばね２３によって該鍵孔１１に挿入されるキープレート５と係合可能な状態に保持したが、２つのタンブラを２つの捻りコイルばね２３によって該鍵孔１１に挿入されるキープレート５と係合可能な状態に保持してもよい。
【００７１】
・上記実施の形態では、２種類のタンブラ（第１タンブラ２１及び第２タンブラ２２）を設けたが、例えば、タンブラ収容部から係合部が突出するタンブラの回転角度がそれぞれ異なる３種類以上のタンブラを設けてもよい。また、キープレート５が挿入されていない状態において作動体１０とケース７とを係合させる第２タンブラ２２のみを設けてもよい。
【００７２】
・上記実施の形態では、第１タンブラ２１の照合部２１ｂと、第２タンブラ２２の照合部２２ｂとが、鍵孔１１に対するキープレート５の挿入方向から見て同一の形状となるように形成したが、異なるように形成してもよい。
【００７３】
・上記実施の形態では、第１タンブラ２１及び第２タンブラ２２の照合部２１ｂ，２２ｂの側面を傾斜させたが、曲面状に形成してもよい。
・上記実施の形態では、回転軸１６を作動体１０に対して回転可能に設けたが、回転軸１６を作動体１０に対して固定してもよい。
【００７４】
・上記実施の形態では、１つの回転軸１６により複数個のタンブラ２１，２２を支持したが、１つの回転軸により１つのタンブラ２１，２２を個別に支持してもよい。
・上記実施の形態では、回転軸１６によって各タンブラ２１，２２を回転可能に支持したが、このような態様に限定されない。例えば、タンブラ収容部１４の内側面を各タンブラ２１，２２の外周面２１ａ，２２ａに対応する円弧状に形成し、当該タンブラ収容部１４により各タンブラ２１，２２を回転可能に支持してもよい。
【００７５】
・上記実施の形態では、各タンブラ２１，２２を、当該タンブラ２１，２２の半径ｒ１と係合部材１３の直径Ｄ１との和が、タンブラ２１，２２の回転中心Ｏからケース７側に設けられた係合凹部７ｄの底面７ｅまでの距離Ｌ１と等しくなるように形成したが、このような態様に限定されない。各タンブラ２１，２２の形状や係合凹部７ｄの形状は、係合部材１３がケース７に対する作動体１０の相対変位に伴いケース７に押圧されて係合位置から非係合位置へ変位するような形状であれば適宜変更可能である。
【００７６】
・上記実施の形態では、作動体１０が操作されることにより係合部材１３がケース７によって非係合位置側へ付勢されるよう、係合部材１３をキープレート５の挿入方向に直交する方向に延びる略円柱状に形成するとともに、同係合部材１３の半径が、係合凹部７ｄの深さよりも大きくなるように設定にしたが、このような態様に限定されない。例えば、係合凹部７ｄの底面をキープレート５の挿入方向に直交する方向から見て円弧状に形成すれば、係合部材１３を直方体状に形成してもよい。また、上記実施の形態では、係合部材１３がケース７によって非係合位置側へ付勢されることで同係合部材１３が非係合位置へ変位するようにしたが、このような態様に限定されない。例えば、係合部材１３の自重によって同係合部材１３が非係合位置へ変位するようにしてもよい。なお、この場合、係合部材１３がタンブラ２１，２２よりも常に鉛直方向上側に配置されるよう錠装置を設置する。
【００７７】
・上記実施の形態では、各タンブラ２１，２２の凹部２１ｃ，２２ｃを回転軸１６の軸方向から見て曲面状に形成したが、各タンブラ２１，２２の回転角度に応じて係合部材１３を係合位置と非係合位置との間で変位させることが可能な形状であれば、凹部２１ｃ，２２ｃの底面を平面状に形成してもよく、適宜変更可能である。
【００７８】
・上記実施の形態では、キーコードとして当該キープレート５を厚さ方向に貫通するコード孔５ａを設けたが、コード孔５ａは貫通していなくてもよい。
・上記実施の形態では、キープレート５を全体として長方形の板状に形成したが、例えば、キープレート５の一端に把持部材を設けてもよい。この場合、例えば作動体１０の鍵孔１１の開口部にキープレート５の把持部材を嵌着可能とし当該把持部を介して作動体１０を操作することが可能な構成とする。このようにすれば、操作力の伝達は把持部材と作動体１０との間で行われ、キープレート５自体はほとんど関与しない。よって、キープレート５のより一層の薄型化を図ることができる。
【００７９】
・上記実施の形態では、キープレート５のコード孔５ａは、キープレート５の板厚方向から見て同キープレート５の長手方向に延びる長方形状に形成したが、該コード孔５ａに対応する部位において各タンブラ２１，２２の照合部２１ｂ，２２ｂがキープレート５に係合しないような形状であれば、楕円状に形成してもよく、また円状に形成してもよい。
【００８０】
・上記実施の形態では、キープレート５を樹脂材料から形成したが、金属などから形成してもよい。なお、この場合、携帯機２においてキープレート５と回路基板２ａとの相対位置関係については適宜調整することも可能である。
【００８１】
・上記実施の形態では、携帯機２のキー収容部２ｂに収容可能なメカニカルキー（キープレート５）として具体化したが、携帯機２に収容されないメカニカルキーに具体化してもよい。また、上記実施の形態では、キープレート５は、直方体状に形成された携帯機２に収容されようにしたが、カード状に形成された携帯機に収容されるメカニカルキーに具体化してもよい。また、樹脂材料からカード状に形成したメカニカルキーに制御装置４との間で無線通信を行うためのＩＣチップ及びアンテナを搭載し、当該メカニカルキー自身を上記実施の形態における携帯機２として機能させてもよい。この場合、ユーザはカード状のメカニカルキーのみを携帯することで、車両に触れることなくドア錠４ａの施錠・解錠を行うことができる。従って、利便性が向上する。
【００８２】
・上記実施の形態では、作動体１０が鍵孔１１に対するキープレート５の挿入方向に沿った操作方向へ押圧操作されるとドア錠４ａが施錠・解錠される錠装置６に具体化したが、作動体１０が前記スリット７ｂの長手方向に沿った操作方向へスライド操作されるとドア錠４ａが施錠・解錠される錠装置に具体化してもよい。
【００８３】
また、上記実施の形態では、作動体１０をケース７に対して直線状にスライド操作することによりドア錠４ａが施錠・解錠される錠装置６に具体化したが、作動体をケースに対して、それらの厚さ方向へ延びる中心軸を中心として略円弧状にスライド操作することによりドア錠４ａが施錠・解錠される錠装置に具体化してもよい。また、作動体としての内筒（ロータ）をケースとしての外筒（シリンダ）に対して回動操作することによりドア錠４ａの施錠・解錠が行われるシリンダ錠に具体化してもよい。
【００８４】
・上記実施の形態では、ケース７の作動体収容部７ｃに作動体１０を収容したが、例えば、ケースの外側面に対して作動体１０を相対変位可能に設けてもよい。
・上記実施の形態では、車両との無線通信を通じてドア錠を施錠・解錠する電子キーシステムに具体化したが、住宅用の電子キーシステムに具体化してもよい。
【００８５】
次に、前記実施形態より把握できる技術的思想について以下に記載する。
（イ）前記タンブラの前記回転軸の軸方向側に配置され、前記照合部が回転変位した場合に該照合部が挿入されるキープレートに係合可能な位置に配置されるように前記タンブラを付勢する付勢手段を備えたことを特徴とする請求項１〜５の何れか１項に記載の錠装置。本思想によれば、従来の錠装置と比較して、錠装置６の薄型化を図ることができる。
【００８６】
（ロ）前記タンブラの外周面から前記回転軸までの距離と前記凹部の底面から前記回転軸までの距離との差は、照合部の前記鍵孔側への突出量よりも大きく設定されたことを特徴とする請求項１〜５及び上記（イ）の何れか１項に記載の錠装置。本思想によれば、タンブラの外周面から回転軸までの距離と凹部の底面から回転軸までの距離との差が、照合部の鍵孔側への突出量よりも大きく設定されているため、係合部材の変位量を大きくすることができる。このため、係合部材のケース側への突出量を大きくすることが可能となり、ケースと作動体とをより確実に係合させることができる。
【００８７】
（ハ）前記鍵孔において前記照合部に対応する部位には、前記鍵孔に前記キープレートが挿入されていない状態において前記照合部の先端部が配置され、当該照合部の回転変位を許容する許容部が設けられたことを特徴とする請求項１〜５及び上記（イ）及び（ロ）の何れか１項に記載の錠装置。本思想によれば、タンブラの照合部の突出量をキープレートの厚さよりも大きく設定することができる。タンブラの照合部の突出量が大きくなると、照合部がキープレートと係合することによる該照合部の回転変位量が大きくなるため、タンブラの照合部が中立状態から回転変位状態になるまでのタンブラの回転角度を大きくすることができる。タンブラの照合部が中立状態から回転変位状態になるまでのタンブラの回転角度が大きくなるほど、タンブラの単位回転角度に対する係合部材の凹部に沿った変位量を小さくすることができるため、係合部材を当該タンブラの凹部に沿って緩やかに変位させることができる。よって、キープレート５の挿抜時における操作感を向上させることができる。
【００８８】
（ニ）無線通信を通じてロック装置の施錠・解錠が可能とされた携帯機において、請求項１〜５及び上記（イ）〜（ハ）の何れか１項に記載の錠装置と協働して前記ロック装置の施錠・解錠を行うキープレートを収容するキー収容部を備えたことを特徴とする携帯機。本発明によれば、上述した錠装置を採用することにより携帯機のキー収容部に収容されるメカニカルキーの薄型化が図られる。このため、携帯機の小型化が可能となり、携帯機の携帯性を向上させることができる。
【符号の説明】
【００８９】
５…キープレート、５ａ…コード孔、６…錠装置、７…ケース、１０…作動体、１１…鍵孔、１２…係合部材収容部、１３…係合部材、１４…タンブラ収容部、１６…回転軸、２１…タンブラとしての第１タンブラ、２１ａ…外周面、２１ｂ…照合部、２１ｃ…凹部、２２…タンブラとしての第２タンブラ、２２ａ…外周面、２２ｂ…照合部、２２ｃ…凹部。
【図１】
2011080318.tif 000003
【図２】
2011080318.tif 000004
【図３】
2011080318.tif 000005
【図４】
2011080318.tif 000006
【図５】
2011080318.tif 000007
【図６】
2011080318.tif 000008
【図７】
2011080318.tif 000009
【図８】
2011080318.tif 000010
【図９】
2011080318.tif 000011
【図１０】
2011080318.tif 000012
【図１１】
2011080318.tif 000013
【図１２】
2011080318.tif 000014
【図１３】
2011080318.tif 000015